(57)【要約】【課題】  上蓋を任意の開度で安定して係止することができるとともに、上蓋内面に付着した内容液を確実に注出口に還流させることができるヒンジキャップを提供すること。【解決手段】  ヒンジキャップにおいて、容器本体の口部に装着されるキャップ本体と、キャップ本体にヒンジを介して連設される上蓋とからなるヒンジキャップにおいて、キャップ本体は、先端に向けて外方に拡がるリップ部を有し内容液の注出口を形成する注出筒と、注出筒に上壁の内周縁で連設し、容器本体の口部に係止する係合筒部とからなり、上蓋には、閉蓋時に注出筒内面に当接して容器内部を密封する密封筒が設けられ、密封筒の下端のヒンジ側の所定周範囲には、開蓋途中で注出筒内面に摺接する舌片が垂設されており、舌片の外周面と注出筒の内面に、上蓋を任意開度において係止する摩擦係止部が少なくとも一方に設けられていることを特徴とする。【選択図】  図１
2015030485.tif 000002
【特許請求の範囲】
【請求項１】
容器本体の口部に装着されるキャップ本体と、キャップ本体にヒンジを介して連設される上蓋とからなるヒンジキャップにおいて、
キャップ本体は、先端に向けて外方に拡がるリップ部を有し内容液の注出口を形成する注出筒と、注出筒に上壁の内周縁で連設し、容器本体の口部に係止する係合筒部とからなり、
上蓋には、閉蓋時に注出筒内面に当接して容器内部を密封する密封筒が設けられ、密封筒の下端のヒンジ側の所定周範囲には、開蓋途中で注出筒内面に摺接する舌片が垂設されており、
舌片の外周面と注出筒の内面に、上蓋を任意開度において係止する摩擦係止部が少なくとも一方に設けられていることを特徴とするヒンジキャップ。
【請求項２】
摩擦係止部は、粗面、シボまたはローレットのいずれかで凹凸面が形成されていることを特徴とする請求項１記載のヒンジキャップ。
【請求項３】
摩擦係止部は、舌片の外周面の先端部付近に設けられていることを特徴とする請求項１または２記載のヒンジキャップ。
【請求項４】
舌片は、注出筒のリップ部内周面に対応する断面弓形状の外周面を形成し、上蓋を開閉する際にリップ部内周面を擦りながら該内周面上を摺動することを特徴とする請求項１〜３記載のヒンジキャップ。
【請求項５】
上壁の上部には、上蓋を係止する蓋係止部が環状に立設されており、注出筒と蓋係止部との間の上壁上面の径方向の幅は、ヒンジ側で大きくなっていることを特徴とする請求項１〜４のいずれかに記載のヒンジキャップ。
【請求項６】
上蓋は、密封筒より内周側の頂壁内面が、最も高い中央付近から周縁に向かって高さを漸減するドーム状をなしていることを特徴とする請求項１〜５のいずれかに記載のヒンジキャップ。
【発明の詳細な説明】
【技術分野】
【０００１】
本発明は、ヒンジを介して上蓋を連設したヒンジキャップに関し、とくに上蓋を任意の開度に係止することができるヒンジキャップに関するものである。
【背景技術】
【０００２】
キャップ本体にヒンジを介して上蓋を連設したヒンジキャップは、使用時に開いた上蓋が揺動して内容液を注出する邪魔になったり、上蓋内面に付着していた内容液が内面を伝って流下し、キャップ本体の注出口の外側に落下して周囲を汚したりすることがあった。
【０００３】
このような問題を解決するために、容器本体の注出筒部に嵌合する蓋体の封止筒部に内側に向かって延出する板状の舌片を設け、この舌片の外面が開蓋途中で注出筒部の上縁に当接・係止するようにした注出キャップが従来より知られている（例えば、特許文献１参照）。
【先行技術文献】
【特許文献】
【０００４】
【特許文献１】実用新案登録第２５４６１３７号公報
【発明の概要】
【発明が解決しようとする課題】
【０００５】
しかしながら、上記特許文献１記載の注出キャップでは、単に舌片の外面を注出筒部の上縁に当接して係止するだけであるので、蓋体を任意の開度で係止することはできず、力を加えすぎると蓋体が係止せず大きく開いてしまうなど、蓋体を任意の開度で安定して係止することが困難であった。
また、蓋体を開蓋途中で係止した状態で容器を使用すると、容器を傾けたり内容液を注出したりすることにより、蓋体に振動が加わったり、舌片と注出筒部との摩擦力が変化したりして、蓋体が不用意に閉蓋してしまうという問題があった。
【０００６】
本発明は、上記問題を解決することを課題とし、上蓋を任意の開度で安定して係止することができるとともに、上蓋内面に付着した内容液を確実に注出口に還流させることができ、清潔で使い勝手のよいヒンジキャップを提供することを目的とする。
【課題を解決するための手段】
【０００７】
本発明は、上記の課題を解決するため、ヒンジキャップとして、容器本体の口部に装着されるキャップ本体と、キャップ本体にヒンジを介して連設される上蓋とからなるヒンジキャップにおいて、キャップ本体は、先端に向けて外方に拡がるリップ部を有し内容液の注出口を形成する注出筒と、注出筒に上壁の内周縁で連設し、容器本体の口部に係止する係合筒部とからなり、上蓋には、閉蓋時に注出筒内面に当接して容器内部を密封する密封筒が設けられ、密封筒の下端のヒンジ側の所定周範囲には、開蓋途中で注出筒内面に摺接する舌片が垂設されており、舌片の外周面と注出筒の内面に、上蓋を任意開度において係止する摩擦係止部が少なくとも一方に設けられていることを特徴とする構成を採用する。
【０００８】
ヒンジキャップの実施形態として、摩擦係止部は、粗面、シボまたはローレットのいずれかで凹凸面が形成されていることを特徴とする構成、摩擦係止部は、舌片の外周面の先端部付近に設けられていることを特徴とする構成、舌片は、注出筒のリップ部内周面に対応する断面弓形状の外周面を形成し、上蓋を開閉する際にリップ部内周面を擦りながら該内周面上を摺動することを特徴とする構成、上壁の上部には、上蓋を係止する蓋係止部が環状に立設されており、注出筒と蓋係止部との間の上壁上面の径方向の幅は、ヒンジ側で大きくなっていることを特徴とする構成、さらに、上蓋の実施形態として、上蓋は、密封筒より内周側の頂壁内面が、最も高い中央付近から周縁に向かって高さを漸減するドーム状をなしていることを特徴とする構成を採用する。
【発明の効果】
【０００９】
本発明のヒンジキャップは、上蓋の密封筒の下端のヒンジ側の所定周範囲に、注出口に向かって延び注出筒内面に摺接する舌片が垂設されており、舌片の外周面と注出筒の内面には、上蓋の任意開度において係止する摩擦係止部が少なくとも一方に設けられているから、上蓋を常に任意開度で安定して係止することができるとともに、上蓋内面に付着した内容液を舌片を伝って注出口に還流させることができ、周囲に内容液が垂れるようなことがない清潔で使い勝手のよいものとすることができる。
【図面の簡単な説明】
【００１０】
【図１】本発明の実施例であるヒンジキャップを容器本体に装着し、上蓋を任意開度で係止した状態を示す側面断面図
【図２】本発明の実施例であるヒンジキャップを容器本体に装着した状態を示す図であり、（ａ）は上蓋を閉蓋した状態を示す側面断面図、（ｂ）は図１における要部拡大図
【図３】本発明の実施例であるヒンジキャップを開蓋した状態を示す図であり、（ａ）は上面図、（ｂ）は側面断面図
【図４】本発明の実施例であるヒンジキャップを開蓋した状態を示す下面図
【図５】本発明の実施例であるヒンジキャップの上蓋の図３（ｂ）におけるＹ矢視図（ヒンジ側から見た図）の一部断面図
【発明を実施するための形態】
【００１１】
次に、本発明のヒンジキャップについて、実施例に示した図面を参照して説明する。
【実施例】
【００１２】
図１〜５において、Ａはキャップ本体、ＢはヒンジＣを介してキャップ本体Ａに連設される上蓋、Ｄは容器本体である。
【００１３】
図１に示すように、容器本体Ｄの口部１は、外周面に環状の係合突条２が設けられ、キャップ本体Ａの係合筒部４に嵌合されている。
図１〜４に示すように、キャップ本体Ａは、容器内と連通する注出口を形成する注出筒５と、注出筒５に上壁６の内周縁で連設し、上壁６の下部に垂設された外筒７、内筒８からなる係合筒部４とからなっている。
上壁６の周縁から垂設された外筒７と、その内周側に垂設された内筒８とは、口部１が嵌合する嵌合溝９を隔てて配置されている。
【００１４】
外筒７の内周側には乗り越え突部１２が設けられ、口部１が嵌合溝９に嵌入されたとき、乗り越え突部１２は係合突条２を乗り越えて係止し、口部１が嵌合溝９から外れることを防止する。
外筒７の外周上縁の所定位置にはヒンジＣが設けられ、上蓋Ｂが連設されている。
また、上壁６の上部には、上蓋Ｂを係止する蓋係止部１０が環状に立設され、その上部には外方に突出する膨出部１１が設けられている。
【００１５】
係合筒部４には、使用後に容器本体Ｄからヒンジキャップを分離して廃棄するための分別機構が設けられており、該分別機構は、外筒７の軸方向に設けられた外周切り込み部１５と内周切り込み部１６からなる縦方向引き裂きラインと、破断可能な縦薄肉部１７を介して縦方向引き裂きラインに接続するスリット溝１８が上壁６上面から周方向所定範囲にわたって穿設され、スリット溝１８の底部に形成された破断可能な横薄肉部１９からなる周方向引き裂きラインとを具えている。
【００１６】
注出筒５は、先端に向けて外方にラッパ状に拡がるとともに薄肉に形成されたリップ部２０と、中間筒部２１と、中間筒部２１の下端に連設し容器内部（注出口）を密閉する隔壁２２とを具えている。
隔壁２２には、破断可能な薄肉弱化部２３により画成され、隔壁２２から切り取られることによって容器内部と連通する注出口を形成する除去部２４が形成されており、除去部２４の上部には、ヒンジＣ側に立設する支柱２５を介してプルリング２６が連設されている。
プルリング２６には、ヒンジＣの反対側下部に薄肉の指当て部２７が設けられている。
【００１７】
隔壁２２の上面は、除去部２４のヒンジＣ側端部すなわち薄肉弱化部２３を形成するヒンジＣ側端部を最下底部とするように傾斜しており、ヒンジＣ側の所定範囲にわたって、中間筒部２１下端から薄肉弱化部２３に向けて下方に傾斜して張り出す隔壁２２の張出部２２ａが設けられている。
注出筒５のリップ部２０のヒンジＣ側内周面には、後述する上蓋Ｂの舌片４０の外周面４１と摺接する摩擦係止部２８が設けられている。
摩擦係止部２８は、図３（ａ）のハッチングを施した範囲として示すように、ヒンジＣを中心とする周方向所定幅で、リップ部２０の内周面の先端部２０ａ近傍から注出口方向に向けてリップ部２０の下端部２０ｂ近傍に形成され、その表面は、摩擦抵抗を増すために、粗面、シボまたはローレットなどで凹凸面が形成されている。
【００１８】
上蓋Ｂは、頂壁３１と、頂壁３１の周縁から垂下する側周壁３２と、頂壁３１の内面から垂設された密封筒３３とからなっている。
本実施例では、頂壁３１は、平坦な形状をなしているが、必ずしもこのような平坦な頂壁の上蓋Ｂである必要はなく、上蓋Ｂ内面に付着する液の流下を促すために、頂壁３１は、密封筒３３より内周側の内面がドーム状をなし、中央付近が最も高く周縁に向かって高さを漸減しながら密封筒３３に連設するようにしてもよい。
側周壁３２の下端外周縁は、ヒンジＣに連設し、ヒンジＣの反対側の下端外周には摘み３４が設けられており、摘み３４の上部の側周壁３２は他の周囲の側周壁３２の下端部より薄肉になっている。
側周壁３２の内周面の下端近傍には、蓋係止部１０の膨出部１１が嵌合して閉蓋状態を維持する係止溝３５が設けられている。
【００１９】
密封筒３３の下端３６外周面には、注出筒５の内面に当接する環状のシール部３７が形成され、下端３６のヒンジＣ側の半周には、上蓋Ｂの内面に付着した内容液が注出筒５の注出口に還流して周辺に垂れないように舌片４０が垂設されている。
舌片４０は、軸方向断面が弓形状をなし、舌片４０の外周面４１は、上蓋Ｂを開閉する際に注出筒５のリップ部２０の内周面に対して押し付ける（締める）ように湾曲面を形成している。
図５に示すように、舌片４０は、ヒンジＣ方向（Ｙ矢印の方向）から見て所定周範囲に最も高く形成された先端部を有する山形をなし、先端部の両側からは、漸次高さを減じる斜面部４２が形成されている。
【００２０】
舌片４０の先端部には、外周面に面取りをしたカット面４３が形成されて鋭角な尖端が形成されている。
舌片４０の外周面４１には、注出筒５のリップ部２０内周面に設けられた摩擦係止部２８と擦り合う摩擦係止部４４が設けられ、摩擦係止部４４は、図５のハッチングを施した範囲として示すように、ヒンジＣを中心とする周方向所定幅で、舌片４０の先端部のカット面４３近傍から密封筒３３の下端３６近傍まで設けられている。
摩擦係止部４４の表面は、摩擦抵抗を増すために、粗面、シボまたはローレットなどで凹凸面が形成されているので、注出筒５のリップ部２０のヒンジＣ側内周面と舌片４０の外周面４１が摺接しているときには、摩擦係止部２８と摩擦係止部４４の擦り合わせによって上蓋Ｂが任意の開度に係止されるようになっている。
【００２１】
上蓋Ｂを係止できる開度は、本実施例では０°から約８０°までであるが、内容液の注出に上蓋Ｂが邪魔にならない角度であって、容器を少し傾ければ上蓋Ｂの内周面に付着した内容液が舌片４０を伝って容易に注出口に還流することができる程度の角度とすることがよく、最大開度は通常６０°〜１２０°程度とすることが好ましい。
また、本実施例では、舌片４０はヒンジＣ側の半周に設けられているが、必ずしも半周にわたって設けられる必要はなく、舌片４０の上記山形形状等についても、開蓋途中で注出筒５内面に摺接して付着液の垂れを防止することができれば、適宜変更可能である。
上蓋Ｂを開蓋途中で任意開度に係止するための摩擦係止部は、本実施例では、図２（ｂ）に示すように、注出筒５のリップ部２０の内周面と舌片４０の外周面４１の両方に設けられているが、摩擦係止部は、注出筒５の内周面か舌片４０の外周面４１の少なくとも一方に設けられていればよく、適宜選択可能である。
【００２２】
次に、本実施例の使用態様と作用効果について説明する。
本実施例のヒンジキャップは、図３（ｂ）に示されるように、完全に開蓋した状態で一体成形される。
本実施例のヒンジキャップを容器本体Ｄに装着するには、まず上蓋ＢをヒンジＣの回りに回動して閉蓋し、容器本体Ｄの口部１を嵌合溝９にあてがって上方から押圧して打栓することにより、キャップ本体Ａの乗り越え突部１２が容器本体Ｄの係合突条２を乗り越えて、口部１が嵌合溝９に嵌合する。
なお、本実施例では、嵌合溝９を口部１に嵌合してヒンジキャップを容器本体Ｄに装着しているが、必ずしもこのような手段に限らず、螺合などの他の手段によって装着してもよい。
【００２３】
上蓋Ｂを閉じる際には、まず舌片４０の先端部のカット面４３が注出筒５のリップ部２０の先端部２０ａに当接してリップ部２０の内周面に乗り上げるようになり、図１および図２（ｂ）に示すように、舌片４０の外周面４１に設けられた摩擦係止部４４がリップ部２０の内周面に設けられた摩擦係止部２８に摺接すると同時に、摩擦係止部２８が摩擦係止部４４に擦り合って上蓋Ｂが係止される。
この状態からさらに上蓋Ｂを閉じる方向に力を加えると、摩擦係止部２８と摩擦係止部４４は擦り合っているだけであるので、比較的小さな力で係止状態が速やかに解除され、舌片４０はリップ部２０の内周面を擦りながら上蓋Ｂが回動し、蓋係止部１０の膨出部１１が上蓋Ｂの係止溝３５に嵌合することで閉蓋動作が完了し、図２（ａ）に示すように、閉蓋状態となる。
【００２４】
ヒンジキャップが装着された容器を使用するには、まず、図２（ａ）に示す状態から上蓋Ｂの摘み３４に手指を掛けて引き上げ、膨出部１１と係止溝３５の嵌合を解除して上蓋Ｂを回動させていくと、舌片４０の外周面４１が注出筒５のリップ部２０の内周面に摺接するとともに摩擦係止部２８が摩擦係止部４４に擦り合うことで、図１に示す位置まで上蓋Ｂを開蓋し、上蓋Ｂを任意の開度で係止することができる。
この状態で、プルリング２６を引き上げ、薄肉弱化部２３を破断して隔壁２２の除去部２４を切り取り、注出口を開口する。
その際、プルリング２６には柔軟な薄肉の指当て部２７が設けられているので、指が痛くなるようなことがない。
【００２５】
上蓋Ｂは、任意の開度に係止されているので、そのまま容器を傾ければ、容器内の内容液は注出口から注出筒５のリップ部２０内周面に案内されて注出され、上蓋Ｂが揺動して注出の邪魔をしたり注出液によって汚れたりすることがなく、上蓋Ｂに手を添えなくてはならないような面倒もない。
さらに、本実施例では、舌片４０の摩擦係止部４４は、図５のハッチングを施した範囲として示すように、舌片４０の先端部のカット面４３近傍から密封筒３３の下端３６近傍まで設けられているが、上蓋Ｂを少しの開度（例えば、約４５°以下）で係止する必要性は少ないので、摩擦係止部４４を設ける範囲を先端部のカット面４３近傍だけにしてもよい。そうすれば、開蓋するとき、上蓋Ｂの開け始めは、舌片４０の外周面４１と注出筒５のリップ部２０の内周面との摩擦抵抗が少なく、滑らかに開けることができ、さらに開け続けると、注出筒５のリップ部２０の摩擦係止部２８は、舌片４０に設けられた摩擦係止部４４と摺接するようになり、急に摩擦抵抗が大きくなることで、最大開度に近づいたことを使用者に伝えることができる。
【００２６】
また、使用後に閉蓋した状態で容器を倒したり、容器を振ったりしたときには、注出口からあふれた内容液が上蓋Ｂの内面に付着することがあるが、再度容器を使用するために上蓋Ｂを開けたときに、上蓋Ｂの内面に付着した内容液は、ヒンジＣ側に流下して舌片４０を伝い注出口に還流するから、付着液が垂れて周囲を汚すようなことがない。
なお、本実施例のヒンジキャップは、上蓋Ｂの頂壁を平坦に形成されているが、これに代えて密封筒３３より内周側の頂壁３１内面をドーム状に形成しておけば、頂壁３１内面に付着した内容液が密封筒３３の内周へ速やかに流下することを促すことができる。
【００２７】
舌片４０の先端部には、カット面４３によって鋭角な尖端が形成されているので、舌片４０の内周面を伝ってきた液は該尖端から垂れやすくなっており、閉蓋した後には、最下部となった舌片４０の先端部のカット面４３尖端から速やかに付着液が流下していき、キャップ内は清潔に保たれる。
なお、上蓋Ｂが係止する開度が比較的大きく、付着液が舌片４０の基部に残留液として溜まってしまう場合でも、容器を使用するために傾けたり、使用後に再度上蓋Ｂを閉めたりするときには、残留液は速やかに舌片４０を伝って注出口に還流するから、残留液によって周囲を汚すようなこともない。
【００２８】
残留液が比較的多量で、一度に注出口に還流するようなことがあっても、隔壁２２のヒンジＣ側には、張出部２２ａが下方に傾斜しながら注出口に張り出しているので、舌片４０の先端部から流下する残留液が直接容器内に落ちて内容液を飛散するようなことを防止し、容器内を清潔に保つことができる。
また、舌片４０は、注出筒５のリップ部２０内周面に対応する断面弓形状の外周面４１を形成しているから、上蓋Ｂを閉じるときには、舌片４０の先端部がリップ部２０の内周面に付着した内容液を掻き落とすことで、リップ部２０の内周面に付着した内容液の流下を促す一方、上蓋Ｂを開けるときには、リップ部２０の先端部２０ａが舌片４０の外周面４１に付着した内容液を掻き落とすことで、舌片４０の外周面４１に付着した内容液の流下を促すことができる。
【００２９】
さらに、上壁６は、注出筒５との連設部位と蓋係止部１０との連設部位の間の幅がヒンジＣ側で広くなるように形成されているため、注出筒５と蓋係止部１０とのヒンジＣ側の間隙ｂは広いスペースが確保されており、不用意に内容液が上壁６部分に垂れてしまった場合でも、垂れた液を拭き取ってキャップ内を清潔に保つことができる。
さらに、本実施例のヒンジキャップは、容器の使用を終えた後、上蓋Ｂを引き上げて摩擦係止部２８と摩擦係止部４４との係止を解除し、さらに引き上げることによって縦方向引き裂きラインから横方向引き裂きラインへと破断を進め、乗り越え突部１２による容器本体Ａへの締め付けを解放すれば、容易に容器本体Ａから分別して廃棄することができる。
【産業上の利用可能性】
【００３０】
本発明のヒンジキャップは、上蓋を常に任意の開度で係止するとともに、上蓋内面に付着した内容液を舌片を伝って注出口に還流させることができるので、清潔で使い勝手のよいヒンジキャップとして広く使用することができ、とくに清潔さを必要とする飲食物や調味料などを充填する容器のキャップとして好適に利用できる。
【符号の説明】
【００３１】
Ａ            キャップ本体
Ｂ            上蓋
Ｃ            ヒンジ
Ｄ            容器本体
ｂ            間隙
１            口部
２            係合突条
４            係合筒部
５            注出筒
６            上壁
７            外筒
８            内筒
９            嵌合溝
１０            蓋係止部
１１            膨出部
１２            乗り越え突部
１５            外周切り込み部
１６            内周切り込み部
１７            縦薄肉部
１８            スリット溝
１９            横薄肉部
２０            リップ部
２０ａ          先端部
２０ｂ          下端部
２１            中間筒部
２２            隔壁
２２ａ          張出部
２３            薄肉弱化部
２４            除去部
２５            支柱
２６            プルリング
２７            指当て部
２８、４４      摩擦係止部
３１            頂壁
３２            側周壁
３３            密封筒
３４            摘み
３５            係止溝
３６            下端
３７            シール部
４０            舌片
４１            外周面
４２            傾斜面
４３            カット面
【図１】
2015030485.tif 000003
【図２】
2015030485.tif 000004
【図３】
2015030485.tif 000005
【図４】
2015030485.tif 000006
【図５】
2015030485.tif 000007